(57)【要約】【課題】  本発明は、段違いの基礎型枠に対して通常のセパレータを取り付けることができるセパレータ取り付け補助金具を提供することを目的とするものである。【解決手段】  本発明は、鋼製の断面Ｈ形状とされ、その下部が基礎型枠上端に嵌入される基礎型枠冠体部２と、上部がセパレータに嵌め入れることができるセパレータ支持部３とから構成され、段差のある基礎型枠の上端に取り付けることによって既存のセパレータを水平上に取り付けることが可能となる。【選択図】      図２
2005320817.tif 000002
【特許請求の範囲】
【請求項１】
基礎型枠冠体部とセパレータ支持部を備え、所定間隔を設けて立ち上げられた段差を有する基礎型枠の上端に、同基礎型枠の間隔を保持するためのセパレータを取り付けるための基礎型枠におけるセパレータ取り付け補助金具であって、
前記基礎型枠冠体部は、一方の基礎型枠上端に嵌入される様に構成され、
前記セパレータ支持部は、前記基礎型枠冠体部を一方の基礎型枠に嵌入した際に、その上端部が他方の基礎型枠上端と略同一高さとなると共に、前記セパレータを嵌め入れ支持できる様に構成された
基礎型枠におけるセパレータ取り付け補助金具。
【請求項２】
前記セパレータ支持部は、基礎型枠の段差に応じて自在に高さ調整ができる構成とする
請求項１に記載の基礎型枠におけるセパレータ取り付け補助金具。
【発明の詳細な説明】
【技術分野】
【０００１】
本発明は、基礎型枠におけるセパレータ取り付け補助具に関する。詳しくは布基礎とベタ基礎とを一体的に打設するために組み立てられる基礎型枠の段違いを補正してセパレータを取り付けることができる基礎型枠におけるセパレータ取り付け補助金具に係るものである。
【背景技術】
【０００２】
住宅の基礎として、床下の防湿目的でベタ基礎と布基礎を同時に構築する一体打ち防湿基礎がある。この一体打ち防湿基礎を打設するには、土地に基礎の配置に応じた平面掘削を行い、その底部に栗石などを敷き詰めて固め、その上にベタ基礎用および布基礎用鉄筋を配置した後、布基礎用鉄筋を両側から挟む態様で型枠を配置して固定し、その型枠間にコンクリートを打設する。
【０００３】
このとき、建物の外壁を支持する布基礎とその内側に配置されるベタ基礎を同時に打設するには、内側型枠をベタ基礎の厚さ分だけ栗石で固めた掘削の底面から持ち上げておき、この状態を維持して型枠間にコンクリートを打設する必要がある。
【０００４】
そこで内側の型枠を持ち上げる金具として図８に示すものがある。この型枠支持金具１０１は、基板１０２の一端部に外側型枠１０３の下端を係合する係止部１０４を設け、基板１０２の他端部にベタ基礎の頂面とほぼ等しい高さの支持脚１０５を立設し、支持脚１０５の上端に内側型枠１０６の下端を係合する受け部１０７を設け、基板１０２の一端寄りと支持脚１０５の上部とを引張斜め材１０８で連結して引き寄せた構成とされる（例えば、特許文献１参照。）。
【０００５】
しかし布基礎とベタ基礎との一体的打設の場合、内側型枠の高さはベタ基礎高さを考慮して決められているが、ベタ基礎高さが状況に応じて異なり外側型枠と内側型枠が段違いとなることが多いのが現状である。
【０００６】
このような状況下で外側型枠１０３と内側型枠１０６の幅止めとしてのセパレータを使用する場合には、両型枠の上端が段違いとなっているために通常のセパレータでは低い方の型枠上端に係留することができず、図９に示すような段差解消用セパレータ１０９を用いている。この段差解消用セパレータ１０９は、外側型枠１０３と内側型枠１０６の段差に応じてセパレータの両端側が段差となるように中央部分が折り曲げ形成されるものである（例えば、特許文献２参照。）。
【０００７】
【特許文献１】特開２００３−１７６６２８号公報（要約書、第１図）
【０００８】
【特許文献２】特開２００２−１５５６２４号公報
【発明の開示】
【発明が解決しようとする課題】
【０００９】
しかしながら前記構成の段差解消用セパレータでは、外側型枠と内側型枠との段差に応じたセパレータを作成しなければならず、数種の段差長さのセパレータを用意する必要が生じる。
【００１０】
また、段差長さを調整できる機能を設けたとしても個々のセパレータにこのような機能を設けるには非常に製作が煩雑となり、更には通常のセパレータを使用することができないためにコスト高となる問題がある。
【００１１】
本発明は、以上の点に鑑みて創案されたものであって、段違いの基礎型枠に対して通常のセパレータを取り付けることができるセパレータ取り付け補助金具を提供することを目的とするものである。
【課題を解決するための手段】
【００１２】
上記の目的を達成するために、本発明に係る基礎型枠におけるセパレータ取り付け補助金具は、基礎型枠冠体部とセパレータ支持部を備え、所定間隔を設けて立ち上げられた段差を有する基礎型枠の上端に、同基礎型枠の間隔を保持するためのセパレータを取り付けるための基礎型枠におけるセパレータ取り付け補助金具であって、前記基礎型枠冠体部は、一方の基礎型枠上端に嵌入される様に構成され、前記セパレータ支持部は、前記基礎型枠冠体部を一方の基礎型枠に嵌入した際に、その上端部が他方の基礎型枠上端と略同一高さとなると共に、前記セパレータを嵌め入れ支持できる様に構成される。
【００１３】
ここで、基礎型枠の上端に段差が生じた場合には低い方の基礎型枠の上端に嵌入可能とさる基礎型枠冠体部を嵌め入れる。そして基礎型枠冠体部の上部に形成されるセパレータ支持部は基礎型枠の段差長さとされ、このセパレータ支持部によって相対する基礎型枠の上端高さがセパレータ支持部上端と同一高さとなり、かつセパレータ支持部の上端幅が基礎型枠の上端幅と同一となることから通常のセパレータを容易に取り付けることが可能となる。
【００１４】
更にセパレータ支持部の高さ調整を自在に行うことができる構成とすることにより、施工状況によって段差長さが異なる場合であっても、セパレータ支持部の高さを調整することにより、相対する基礎型枠の上端とセパレータ支持部上端を同一高さとすることが可能となる。
【発明の効果】
【００１５】
本発明の基礎型枠におけるセパレータ取り付け補助金具によれば、例えば床下の防湿目的でベタ基礎と布基礎を同時に構築する一体打ち防湿基礎において、立ち上げられる一対の基礎型枠とに段差が生じる場合には、低い方の基礎型枠の上端に沿ってセパレータ取り付け補助金具の基礎型枠冠体部を嵌め入れることでセパレータ支持部上端と、他方の基礎型枠の上端とが同一高さとなり通常のセパレータによる取り付けが可能となる。
【００１６】
また、セパレータ支持部の高さを自在に調整できる構成とすることにより施工状況に応じてのベタ基礎高さの決定による段差長さに対して対応することが可能となる。
【発明を実施するための最良の形態】
【００１７】
以下、本発明の実施の形態を図面を参酌しながら説明し、本発明の理解に供する。
図１は、本発明を適用した基礎型枠におけるセパレータ取り付け補助金具の一例を示す斜視図である。
【００１８】
ここで示すセパレータ取り付け補助金具１は、鋼製の断面Ｈ形状とされ、その下部が基礎型枠上端に嵌入される基礎型枠冠体部２と、上部がセパレータに嵌め入れることができるセパレータ支持部３とから構成される。
【００１９】
そこで図２に示すように基礎型枠冠体部２は、基礎型枠４の上端５が嵌入できる幅を有するものであり、さらに基礎型枠４の上端に基礎型枠冠体部２を嵌め入れた場合に、セパレータ支持部３のセパレータ支持部上端５Ａは、相対する基礎型枠４の上端５と同一高さとされ、セパレータ６の係留用ツメ部７間に嵌め入れられる幅を有するものである。
【００２０】
従ってセパレータ支持部３のセパレータ支持部上端５Ａが相対する基礎型枠４の上端５と同一高さとなるためにセパレータ６は水平上に取り付けることができ、正確な基礎型枠４間の幅を保持することができる。
【００２１】
次に図３は、本発明を適用した基礎型枠におけるセパレータ取り付け補助金具の他の例を示す斜視図である。
【００２２】
ここで示すセパレータ取り付け補助金具１は、下端が開口状とされるように角形状に折曲形成され、その内部に水平上の仕切り板８がセパレータ取り付け補助金具１の長手方向に沿って設けられることによって仕切り板８の下部が基礎型枠冠体部２および上部がセパレータ支持部３とされるものである。
【００２３】
そこで図４に示すように基礎型枠冠体部２は、基礎型枠４の上端５が嵌入できる幅を有するものであり、基礎型枠４の上端５に嵌め入れた場合にセパレータ支持部３のセパレータ支持部上端５Ａが相対する基礎型枠４の上端５と同一高さとなり基礎型枠４間にセパレータ６を水平上に取り付けることができる。
【００２４】
また、図５は本発明を適用した基礎型枠におけるセパレータ取り付け補助金具のセパレータ支持部に高さ調整機構を設けた一例を示す斜視図である。
【００２５】
ここで示すセパレータ取り付け補助金具１は、下端が開口状とされるように角形状に折曲形成される。そして相対するそれぞれの側壁９に沿って挿し入れ用溝穴１０が一定間隔ごとに貫設されるものである。この挿し入れ用溝穴１０は向き合う側壁９に対して水平上にそれぞれ設けられるとともに上下２段に設けられる。
【００２６】
そこで前記差し入れ用溝穴１０に対して基端が略直角状に折曲される係止部１１が形成され、先端にくさび挿入穴１２が貫設される高さ調整板１３を挿し入れるものである。この高さ調整板１３は一方の側壁９より挿し入れて、その先端が相対する他方の側壁９の挿し入れ用溝穴１０より突出させる。そして高さ調整板１３の先端に設けられるくさび挿入穴１１にくさび１２を挿入することで高さ調整板１３は係止部１１とくさび１４によって水平上に支持されることになり、この高さ調整板１３の下部が基礎型枠冠体部２、上部がセパレータ支持部３として形成される。
【００２７】
したがって図６に示すように、基礎型枠の段差長さに応じて例えば段差長さが長い場合には下段の挿し入れ用溝穴９に高さ調整板１２を挿し入れて、セパレータ支持部３高さを最大とする。
【００２８】
また、図７に示すように、基礎型枠の段差長さに応じて例えば段差長さが短い場合には上段の挿し入れ用溝穴１０に高さ調整板１３を挿し入れて、セパレータ支持部３高さを最小とする。
【００２９】
なお、挿し入れ用溝穴は必ずしも上下２段とする必要性は無く、段差長さに応じて３段、あるいは４段などの複数段とすることもあり、セパレータ支持部の高さ調整が自在に行えるものであれば段数は幾つであっても構わない。
【００３０】
また、セパレータ支持部の高さ調整機構は必ずしも本実施例で詳述される機構である必要性は無く、例えば基礎型枠冠体部に対してセパレータ支持部の高さ調整がネジなどによって自在に調整することができる機構などがあり、段差長さに対してセパレータ支持部の高さ調整が行えるものであればいかなる機構であっても構わない。
【００３１】
また、セパレータ取り付け補助金具は必ずしも鋼製である必要性は無く、アルミニウム製や硬質プラスチック製、あるいはこれらを組み合わせたものなど加工性に優れ、かつ強耐性に優れたものであればいかなる素材であっても良い。
【００３２】
以上の構成よりなる本発明では、ベタ基礎と布基礎を同時に構築する一体基礎の場合の外側基礎型枠と内側基礎型枠との段差を解消するために、一方の基礎型枠の上端に段差長さに応じたセパレータ取り付け補助金具を取り付けることによりセパレータ支持部の上端と相対する他方の基礎型枠の上端の高さが略同一となり、既存のセパレータによって基礎型枠の間隔を保持することができる。
【００３３】
また、セパレータ支持部の高さ調整機構を設けることによって施工状況によって段差長さが異なる場合に、その段差長さ応じての高さ調整が可能となる。
【図面の簡単な説明】
【００３４】
【図１】本発明を適用した基礎型枠におけるセパレータ取り付け補助金具の一例を示す斜視図である。
【図２】図１におけるセパレータ取り付け補助金具の使用状態を示す説明図である。
【図３】本発明を適用した基礎型枠におけるセパレータ取り付け補助金具の他の例を示す斜視図である。
【図４】図３におけるセパレータ取り付け補助金具の使用状態を示す説明図である。
【図５】本発明を適用した基礎型枠におけるセパレータ取り付け補助金具のセパレータ支持部に高さ調整機構を設けた一例を示す斜視図である。
【図６】図５におけるセパレータ取り付け補助金具の使用状態を示す説明図である。
【図７】図５におけるセパレータ取り付け補助金具の高さ調整をした一例の使用状態を示す説明図である。
【図８】従来の型枠支持金具の一例を示す説明図である。
【図９】従来の段差解消用としてのセパレータの一例を示す説明図である。
【符号の説明】
【００３５】
１      セパレータ取り付け補助金具
２      基礎型枠冠体部
３      セパレータ支持部
４      基礎型枠
５      上端
５Ａ    セパレータ支持部上端
６      セパレータ
７      係留用ツメ部
８      仕切り板
９      側壁
１０    挿し入れ用溝穴
１１    係止部
１２    くさび挿入穴
１３    高さ調整板
１４    くさび
【図１】
2005320817.tif 000003
【図２】
2005320817.tif 000004
【図３】
2005320817.tif 000005
【図４】
2005320817.tif 000006
【図５】
2005320817.tif 000007
【図６】
2005320817.tif 000008
【図７】
2005320817.tif 000009
【図８】
2005320817.tif 000010
【図９】
2005320817.tif 000011